【手続補正書】
【提出日】平成26年11月28日(2014.11.28)
【手続補正１】
【補正対象書類名】明細書
【補正対象項目名】００６０
【補正方法】変更
【補正の内容】
【００６０】
さらに、この結果は、過塩基性サリチル酸マグネシウム清浄剤を含む清浄剤構成成分を有する潤滑剤は、ＴＯＣ−３試験において、過塩基性スルホン酸マグネシウム清浄剤を含む清浄剤構成成分を有する類似の潤滑剤と同様の合格値が得られることも示している（表１の潤滑剤４と潤滑剤５の比較）。注目すべきは、過塩基性スルホン酸カルシウム清浄剤（比較潤滑剤Ｆ）を含む比較潤滑剤は、ＴＯＣ−３試験においてかろうじて合格／不合格をもたらすのみである。
次に、本発明の好ましい態様を示す。
１．  ＡＳＴＭ  Ｄ８７４によって測定される場合に、０．６質量％未満の硫酸灰分含有量を有する潤滑油組成物であって、
（Ａ）主要量の潤滑粘性のあるオイルと、
（Ｂ）少量の添加剤として、潤滑油組成物の総質量に基づいて、少なくとも０．７５質量％の量で存在する油溶性または油分散性の無灰芳香族アミン酸化防止剤を含む酸化防止剤構成成分と、
（Ｃ）少量の添加剤として、潤滑油組成物の総質量に基づいて、少なくとも０．０５質量％のマグネシウムを潤滑油組成物にもたらす油溶性または油分散性の過塩基性マグネシウム清浄剤を含む清浄剤構成成分であって、清浄剤構成成分中の金属の総質量に基づいて、清浄剤構成成分（Ｃ）の金属含有量の４５質量％超が、過塩基性マグネシウム清浄剤由来のマグネシウムで構成される清浄剤構成成分と
を含む、潤滑油組成物。
２．  硫酸灰分含有量が、ＡＳＴＭ  Ｄ８７４によって測定される場合に、０．５５質量％未満、より好ましくは、０．５０質量％以下である、上記１に記載の潤滑油組成物。
３．  無灰芳香族アミン酸化防止剤が、潤滑油組成物の総質量に基づいて、少なくとも０．８質量％の量で存在する、上記１または２に記載の潤滑油組成物。
４．  無灰芳香族アミン酸化防止剤が、潤滑油組成物の総質量に基づいて、２．０質量％以下の量で存在する、上記１から３までのいずれか１項に記載の潤滑油組成物。
５．  潤滑油組成物中の無灰芳香族アミン酸化防止剤（Ｂ）の質量と清浄剤構成成分（Ｃ）によりもたらされるマグネシウムの質量との質量対質量の比が、８対１以上、好ましくは、１０対１以上である、上記１から４までのいずれか１項に記載の潤滑油組成物。
６．  過塩基性マグネシウム清浄剤が、ＡＳＴＭ  Ｄ２８９６によって測定される場合に、少なくとも１５０、好ましくは、少なくとも３００ｍｇＫＯＨ／ｇのＴＢＮを有する、上記１から５までのいずれか１項に記載の潤滑油組成物。
７．  過塩基性マグネシウム清浄剤が、１つまたは複数のスルホン酸マグネシウム、サリチル酸マグネシウムおよび石炭酸マグネシウムから選択され、好ましくは１つまたは複数のサリチル酸マグネシウムである、上記１から６までのいずれか１項に記載の潤滑油組成物。
８．  清浄剤構成成分（Ｃ）の総金属含有量の５０質量％以上、好ましくは、５５質量％以上は、過塩基性マグネシウム清浄剤由来のマグネシウムで構成される、上記１から７までのいずれか１項に記載の潤滑油組成物。
９．  過塩基性マグネシウム清浄剤が、組成物の総質量に基づいて、少なくとも０．０６、好ましくは、少なくとも０．０７質量％のマグネシウムを組成物にもたらす、上記１から８までのいずれか１項に記載の潤滑油組成物。
１０．  酸化防止剤構成成分（Ｂ）が、無灰酸化防止剤構成成分である、上記１から９までのいずれか１項に記載の潤滑油組成物。
１１．  無灰芳香族アミン酸化防止剤が、アリールアミンを含む、上記１から１０までのいずれか１項に記載の潤滑油組成物。
１２．  アリールアミンが、ジアリールアミンまたはアリールジアミンを含む、上記１１に記載の潤滑油組成物。
１３．  添加剤構成成分（Ｂ）および（Ｃ）以外の、無灰分散剤、金属清浄剤、腐食防止剤、酸化防止剤、流動点降下剤、摩耗防止剤、摩擦調整剤、解乳化剤、消泡剤および粘度調整剤から選択される１つまたは複数の少量の補助添加剤をさらに含む、上記１から１２までのいずれか１項に記載の潤滑油組成物。
１４．  清浄剤構成成分（Ｃ）が、金属含有清浄剤構成成分である、上記１から１３までのいずれか１項に記載の潤滑油組成物。
１５．  金属含有清浄剤構成成分が本質的に、上記１から１４までのいずれか１項に記載の１つまたは複数の過塩基性マグネシウム清浄剤からなる、上記１４に記載の潤滑油組成物。
１６．  火花点火または圧縮点火内燃機関を潤滑する方法であって、前記機関を上記１から１５までのいずれか１項に記載の潤滑油組成物を用いて運転することを含む、方法。
１７．  火花点火または圧縮点火内燃機関の運転中の潤滑油組成物の熱酸化を低減および／または抑制するための、主要量の潤滑粘性のあるオイルを含む潤滑油組成物中の少量の添加剤としての油溶性または油分散性の無灰芳香族アミン酸化防止剤を含む上記１から１６までのいずれか１項に記載の酸化防止剤構成成分（Ｂ）の、少量の添加剤としての油溶性または油分散性の過塩基性マグネシウム清浄剤を含む上記１から１６までのいずれか１項に記載の清浄剤構成成分（Ｃ）と組み合わせた、前記機関の潤滑における使用であって、無灰芳香族アミン酸化防止剤は、潤滑油組成物の総質量に基づいて、少なくとも０．７５質量％の量で存在し、過塩基性マグネシウム清浄剤は、潤滑油組成物の総質量に基づいて、少なくとも０．０５質量％のマグネシウムを潤滑油組成物にもたらし、清浄剤構成成分中の金属の総質量に基づいて、清浄剤構成成分（Ｃ）の金属含有量の４５質量％超は、過塩基性マグネシウム清浄剤由来のマグネシウムで構成される、使用。
１８．  潤滑油組成物が、Ｒｅｎａｕｌｔの触媒酸化試験（ＴＯＣ−３）手順Ｄ５５  ３０９９に合格する、上記１７に記載の使用。
【手続補正２】
【補正対象書類名】特許請求の範囲
【補正対象項目名】全文
【補正方法】変更
【補正の内容】
【特許請求の範囲】
【請求項１】
ＡＳＴＭ  Ｄ８７４によって測定される場合に、０．６質量％未満の硫酸灰分含有量を有する潤滑油組成物であって、
（Ａ）主要量の潤滑粘性のあるオイルであって、グループＩＩＩベースストックを含むオイルと、
（Ｂ）少量の添加剤として、潤滑油組成物の総質量に基づいて、少なくとも０．７５質量％の量で存在する油溶性または油分散性の無灰芳香族アミン酸化防止剤を含む酸化防止剤構成成分と、
（Ｃ）少量の添加剤として、潤滑油組成物の総質量に基づいて、少なくとも０．０５質量％のマグネシウムを潤滑油組成物にもたらす油溶性または油分散性の過塩基性マグネシウム清浄剤を含む清浄剤構成成分であって、清浄剤構成成分中の金属の総質量に基づいて、清浄剤構成成分（Ｃ）の金属含有量の４５質量％超が、過塩基性マグネシウム清浄剤由来のマグネシウムで構成される清浄剤構成成分と
を含む、潤滑油組成物。
【請求項２】
硫酸灰分含有量が、ＡＳＴＭ  Ｄ８７４によって測定される場合に、０．５５質量％未満、より好ましくは、０．５０質量％以下である、請求項１に記載の潤滑油組成物。
【請求項３】
無灰芳香族アミン酸化防止剤が、潤滑油組成物の総質量に基づいて、少なくとも０．８質量％の量で存在する、請求項１または２に記載の潤滑油組成物。
【請求項４】
無灰芳香族アミン酸化防止剤が、潤滑油組成物の総質量に基づいて、２．０質量％以下の量で存在する、請求項１から３までのいずれか１項に記載の潤滑油組成物。
【請求項５】
潤滑油組成物中の無灰芳香族アミン酸化防止剤（Ｂ）の質量と清浄剤構成成分（Ｃ）によりもたらされるマグネシウムの質量との質量対質量の比が、８対１以上、好ましくは、１０対１以上である、請求項１から４までのいずれか１項に記載の潤滑油組成物。
【請求項６】
過塩基性マグネシウム清浄剤が、ＡＳＴＭ  Ｄ２８９６によって測定される場合に、少なくとも１５０、好ましくは、少なくとも３００ｍｇＫＯＨ／ｇのＴＢＮを有する、請求項１から５までのいずれか１項に記載の潤滑油組成物。
【請求項７】
過塩基性マグネシウム清浄剤が、１つまたは複数のスルホン酸マグネシウム、サリチル酸マグネシウムおよび石炭酸マグネシウムから選択され、好ましくは１つまたは複数のサリチル酸マグネシウムである、請求項１から６までのいずれか１項に記載の潤滑油組成物。
【請求項８】
清浄剤構成成分（Ｃ）の総金属含有量の５０質量％以上、好ましくは、５５質量％以上は、過塩基性マグネシウム清浄剤由来のマグネシウムで構成される、請求項１から７までのいずれか１項に記載の潤滑油組成物。
【請求項９】
過塩基性マグネシウム清浄剤が、組成物の総質量に基づいて、少なくとも０．０６、好ましくは、少なくとも０．０７質量％のマグネシウムを組成物にもたらす、請求項１から８までのいずれか１項に記載の潤滑油組成物。
【請求項１０】
酸化防止剤構成成分（Ｂ）が、無灰酸化防止剤構成成分である、請求項１から９までのいずれか１項に記載の潤滑油組成物。
【請求項１１】
無灰芳香族アミン酸化防止剤が、アリールアミンを含む、請求項１から１０までのいずれか１項に記載の潤滑油組成物。
【請求項１２】
アリールアミンが、ジアリールアミンまたはアリールジアミンを含む、請求項１１に記載の潤滑油組成物。
【請求項１３】
添加剤構成成分（Ｂ）および（Ｃ）以外の、無灰分散剤、金属清浄剤、腐食防止剤、酸化防止剤、流動点降下剤、摩耗防止剤、摩擦調整剤、解乳化剤、消泡剤および粘度調整剤から選択される１つまたは複数の少量の補助添加剤をさらに含む、請求項１から１２までのいずれか１項に記載の潤滑油組成物。
【請求項１４】
油溶性または油分散性の過塩基性マグネシウム清浄剤が潤滑油組成物中の唯一の金属含有清浄剤構成成分である、請求項１から１３までのいずれか１項に記載の潤滑油組成物。
【請求項１５】
火花点火または圧縮点火内燃機関を潤滑する方法であって、前記機関を請求項１から１４までのいずれか１項に記載の潤滑油組成物を用いて運転することを含む、方法。
【請求項１６】
火花点火または圧縮点火内燃機関の運転中の潤滑油組成物の熱酸化を低減および／または抑制するための、グループＩＩＩベースストックを含む主要量の潤滑粘性のあるオイルを含む潤滑油組成物中の少量の添加剤としての油溶性または油分散性の無灰芳香族アミン酸化防止剤を含む請求項１から１４までのいずれか１項に記載の酸化防止剤構成成分（Ｂ）の、少量の添加剤としての油溶性または油分散性の過塩基性マグネシウム清浄剤を含む請求項１から１４までのいずれか１項に記載の清浄剤構成成分（Ｃ）と組み合わせた、前記機関の潤滑における使用であって、無灰芳香族アミン酸化防止剤は、潤滑油組成物の総質量に基づいて、少なくとも０．７５質量％の量で存在し、過塩基性マグネシウム清浄剤は、潤滑油組成物の総質量に基づいて、少なくとも０．０５質量％のマグネシウムを潤滑油組成物にもたらし、清浄剤構成成分中の金属の総質量に基づいて、清浄剤構成成分（Ｃ）の金属含有量の４５質量％超は、過塩基性マグネシウム清浄剤由来のマグネシウムで構成され、潤滑油組成物がＲｅｎａｕｌｔの触媒酸化試験（ＴＯＣ−３）手順Ｄ５５  ３０９９に合格する、使用。